(57)【要約】【課題】本願発明は、衣類のポケット内の収納物が作業中等において容易に離出されることなく、安全に収納でき、且つその形成が容易な離出防止手段付きのポケット、及び該離出防止手段付きのポケットの形成方法を提供することを課題とする。【解決手段】衣類に取り付けて収納部を形成し、上部側に開口部を有するポケット本体から構成された衣類のポケットにおいて、該ポケット本体の内側には、一端側をポケット本体の上部側に沿って取り付けられ、他端側をポケット本体の下端側に広がった状態で解放された離出防止手段が設けられていることである。【選択図】図１
2017125286.tif 000002
【特許請求の範囲】
【請求項１】
衣類に取り付けて収納部を形成し、上部側に開口部を有するポケット本体から構成された衣類のポケットにおいて、該ポケット本体の内側には、一端側をポケット本体の上部側に沿って取り付けられ、他端側をポケット本体の下端側に広がった状態で解放された離出防止手段が設けられていることを特徴とする離出防止手段付きの衣類のポケット。
【請求項２】
衣類に上部側を開口部としてポケット本体を取り付けることで収納部を形成する衣類のポケット形成方法において、前記ポケット本体に予め開口部を形成する上部側の内側に沿って一端側を取り付け、他端側をポケット本体の下端側に沿って広がった状態となるように解放することを特徴とする離出防止手段付きの衣類のポケットの形成方法。
【発明の詳細な説明】
【発明の詳細な説明】
【技術分野】
【０００１】本発明は、主に衣類の胸部部分のポケット内の収納物が前傾姿勢等を取った際、ポケットから離出を防止する内部収納物の離出防止手段付きの衣類のポケット、及び該離出防止手段付きの衣類のポケットの形成方法に関する。
【背景技術】
【０００２】従来、衣類、特に上着の胸部部分のポケット内に収納された収納物は、前傾（前かがみ）姿勢を取った際、重量のあるものほど、ポケットの上部側の開口部より離出（本願において収納状態より反動、重力等の影響で飛び出すことを意味する）し易いために、前記ポケットを形成するポケット本体には、上部側の開口部を防ぐために、一端側を衣類に取り付け他端側をポケット本体にボタンを用いて取り付ける封止体が設けられている。【０００３】しかしながら、上記封止体はポケット本体の形成する収納部より収納物を出し入れする際、ボタンに取り付け、及び取り外しをしなければならず、その作業が煩雑であった。【０００４】そこで、ポケット本体が形成する開口部の内側に接着テープを用いたポケットが考えられた。これにより、開口部の開閉を容易にすることで開口部よりの離出を防止した。
【発明の開示】
【発明が解決しようとする課題】
【０００５】しかしながら、上記従来のポケットは、作業用上着の胸部部分のポケットのように、作業中に頻繁に使用するもの、例えば工具、携帯電話を収納しているために、接着テープでポケットの上部側を塞ぐものは、頻繁に使用するとその塞ぐ精度が低下し、収納物が離出し易いという欠点があった。【０００６】また、工具、携帯電話等はポケット内で安定して収納できず適切な収納ができない欠点があった。【０００７】さらに、上記従来のポケットは、接着テープの取り付け工程等の作業工程が煩雑であり、ポケットの形成が大変であるという欠点があった。【０００８】そこで本発明は、上記従来の問題点を解決し、その形成が容易な離出防止手段付きの衣類のポケット、及び該離出防止手段付きの衣類のポケットの形成方法を提供することを課題とする。
【課題を解決するための手段】
【０００９】本願発明は上記課題を解決する手段としての離出防止手段付きの衣類のポケットは、請求項１に記載のように、衣類に取り付けて収納部を形成し、上部側に開口部を有するポケット本体から構成された衣類のポケットにおいて、該ポケット本体の内側には、一端側をポケット本体の上部側に沿って取り付けられ、他端側をポケット本体の下端側に広がった状態で解放された離出防止手段が設けられていることを特徴とする。【００１０】また、上記課題を解決する手段としての離出防止手段付きの衣類のポケットの形成方法は、請求項２に記載のように、衣類に上部側を開口部としてポケット本体を取り付けることで収納部を形成する衣類のポケット形成方法において、前記ポケット本体に予め開口部を形成する上部側の内側に沿って一端側を取り付け、他端側をポケット本体の下端側に沿って広がった状態となるように解放することを特徴とする。
【発明の作用効果】
【００１１】次に、本願発明の離出防止手段付きの衣類のポケット、及び該離出防止手段付きの衣類のポケットの形成方法の作用効果を説明する。
【００１２】先ず請求項１に記載の離出防止手段付きの衣類のポケットは、衣類に取り付けられたポケット本体で収納部を形成し、該収納部の上部側を開口部して構成されている。
【００１３】前記ポケット本体には、一端側を該ポケット本体の内側の上端側に沿って取り付けられ、他端側をポケット本体の下端側に沿って広がった状態で解放された離出防止手段が設けられている。
【００１４】上記離出防止手段は、ポケット本体内に収納した収納物をポケット本体による収納部内でその移動を阻止するとともに、前傾等の不規則な姿勢をした際、ポケット本体の上部側の開口部よりの離出を防止できる。
【００１５】このため、ポケット内の収納物をポケットで確実に収納できる。
【００１６】また、前記収納物をポケットより取り出す際は、離出防止手段の解放された下方側より、容易に取り出しできる。
【００１７】次に、本願発明の請求項２に記載の離出防止手段付きの衣類のポケットの形成方法は、予めポケット本体の開口部を形成する上部側の内側に沿って一端側を取り付け、他端側をポケット本体の下端側に沿って広がった状態となるように解放された離出防止手段を取り付ける。
【００１８】次に、上記ポケット本体を衣類に取り付けることで、収納部内に離出防止手段付きの衣類のポケットを衣類に取り付けできる。
【００１９】これにより、収納部では、収納物の移動を離出防止手段で阻止するとともに、傾斜した姿勢をとっても、離出防止手段で収納物の離出を防止できる。
【００２０】このように、離出防止手段の取り付けが容易であり、簡易な工程でポケットを形成することができる。
【発明を実施するための最良の形態】
【００２１】本願発明の離出防止手段付きの衣類のポケット、及び離出防止手段付きの衣類のポケットの形成方法について図面を用いて説明する。【００２２】図１は本願発明の離出防止手段付きの衣類のポケットを示す概略説明側面断面図であり、図２、図３は図１の使用状態を示す概略説明側面断面図であり、図４は離出防止手段付きのポケットを示す概略説明背面図、図５、図６及び図７は離出防止手段付きの衣類のポケットの他実施例を示す概略説明背面図であり、図８は離出防止手段付きの衣類のポケットの形成方法を示すフローチャートを示す。【００２３】本願発明の離出防止手段付きの衣類のポケット１は、衣服の胸部分に形成され、収納部分を形成するポケット本体２と、該ポケット本体２の上部側の開口部３を閉塞する封止体４と、前記ポケット本体２の内側で、上部側の開口部３の近傍には離出防止手段としての離出防止体５が設けられている。【００２４】前記封止体４には、一端側を衣服に縫い付けることで固定し、他端側に穿孔された孔８を前記ポケット本体２の外側上部側に取り付けられたボタン７に挿通することで、前記開口部３を閉塞することができる。【００２５】尚、本実施例において、ポケット本体２の上部側の開口部３を閉塞する封止体４を設けたが、封止体４の構成は必須の構成でなく、前記開口部３を解放した状態で使用するポケット１も含まれる。【００２６】前記離出防止体５は、一端側（上部側）５Ａを前記ポケット本体２内側の上部側近傍に縫い付けることで取り付けられ、他端側（下部側）５Ｂは広がった状態でポケット本体２内の２／３部分の位置にフリーの状態で設けられている。【００２７】尚、前記離出防止体５の一端側５Ａのポケット本体２への取り付けは、該一端側５Ａを開口部３の幅と同一形状に形成し、幅に沿って取り付けることで、ポケット１内の収納物Ｈの大きさに関わらず離出を防止することができる。【００２８】また、携帯電話等の一定の大きさを有する収納物Ｈを収納する場合は、一端側５Ａの取り付け幅を約１／３に縮小し、開口部３の中央部のみに取り付けることで、収納物Ｈの取り出しを容易に行うことができるとともに、収納物の離出を容易に防止することができる。【００２９】また、前記離出防止体５の他端側５Ｂ、又は他端側５Ｂ近傍の位置に変形可能な広状（本願において広がった状態を意味する）の下部支持体６を取り付け、下方側の形状を維持することで、収納物Ｈを容易に離出防止体５の内側に収納し適切に収納することができる。【００３０】尚、収納物Ｈの種類、例えば重量の軽い名刺、書類等の場合は、離出防止体５に下部支持体６を設けない構成も可能である。【００３１】また、前記離出防止体５の中央部分には、蛇腹部５Ｃを設けることで、離出防止体５の下端側５Ｂを容易に上方巻き取り移動でき、ポケット１内の収納物Ｈの形状が大きさ場合等において容易に取り出しすることができる。また、蛇腹部５Ｃ部分を柔らかい材料で形成することで、同様の効果を得ることができる。【００３２】尚、離出防止体５の形状が短い場合は、容易に収納物Ｈを取り出しできるために、前記蛇腹部５Ｃを設けない構成も可能である。【００３３】また、前記離出防止体５の長さは、前記ポケット本体２内の２／３部分に限定されるものでなく、ポケット本体２の下方側まで延長することも可能である。これにより、さらに、収納物Ｈの離出の防止効果を格段に向上することも可能である。【００３４】また、離出防止体５の上端側５Ａは上記のようにポケット本体２に縫い付けることで固定する構成に限定されるものでなく、離脱体（接着テープ等の公知のものを含む）を用いて着脱自在に構成することも可能である。これにより、収納物Ｈをポケット１より頻繁に取り出さない場合、例えば、衣類を使用しない場合、離出防止体５をポケット本体２より取り外し、封止体４で開口部３を閉塞する。【００３５】本願発明の離出防止手段付きの衣類のポケット１は上記のように構成され、次に、該ポケット１を用いて携帯電話等の収納物を収納する場合について説明する。【００３６】先ず、作業着の胸部分にポケット１を形成するために、ポケット本体２の内側上部側に離出防止体５の一端側を取り付ける。【００３７】この際、離出防止体５の一端側５Ａは幅狭く形成して取り付けることで、収納物Ｈの取り出し等を適切に行える。【００３８】前記離出防止体５の取り付け方法は、縫い付けることで固定する方法と、ボタン等で着脱自在に取り付ける方法がある。【００３９】また、前記離出防止体５の他端側５Ｂは蛇腹部５Ｃを有する長尺状を使用することで、離出防止体５の内側に容易に収納物Ｈを収納することができる。【００４０】次に、離出防止体５の取り付けられたポケット本体２を作業着に縫い付けることで取り付ける。【００４１】上記の取り付けにより、上端側に開口部３を有するポケット１を形成する。【００４１】その後、開口部３を閉塞する封止体４の一端側を作業着に縫い付けることで、ポケット１を形成できる。【００４２】この状態でポケット１に携帯電話を収納して作業すると、作業中の各種連絡事項で頻繁にポケット１より取り出し、収納を繰り返して作業を行うために、封止体４を取り外した状態で使用する。【００４３】前記携帯電話を収納した際は、離出防止体５の内側に位置するために携帯電話の移動を阻止し適切に収納でいる。【００４４】また、携帯電話を取り出す際は、離出防止体５の上端側５Ａで携帯電話を用意に挟んで取り出すことで、離出防止体５が持ち上がり容易に取り出しできる。【００４５】再度、開口部３よりポケット１内に収納し、離出防止体５の内側に位置することで、携帯電話を安定した状態で収納できる。【００４６】また、携帯電話を収納した状態で前傾姿勢をとると、携帯電話は離出防止体５の上部側に当接するとともに、離出防止体５全体で携帯電話を押さえるために、開口部３よりの離出を容易に防止することができる。【００４７】このため、頻繁に封止体４を用いて頻繁に開口部３を閉塞する手間がなく、その取り扱いが容易である。【００４８】特に、作業用の手袋を使用する場合、封止体４のボタン７を孔８に入れて止める作業は大変であるが、この作業がない分作業効率を向上することができる。【００４９】このように、本願発明の離出防止手段付きのポケット１はその構成が容易で、収納物Ｈをポケット１内に確実に収納することができるとともに、該収納物のポケット１よりの離出を確実に防止することができる。【００５０】尚、上記実施例では、ポケット本体２の開口部３を閉塞する封止体４を設けたが、本発明において、封止体４を設けることは必須の構成ではない。ポケット本体２のみで構成することも可能である。【００５１】また、ポケット本体２の形状も上記実施例のように矩形状に限定されるものでなく、円形状、三角形状でもよい。【００５２】さらに、ポケット１の取り付ける衣類も上記実施例のように作業着に限定されるものでなく、スーツ等の場合においても同様に使用される。
【図面の簡単な説明】
【００５３】
【図１】本願発明の離出防止手段付きのポケットを示す概略説明側面断面図
【図２】図１の使用状態を示す概略説明側面断面図
【図３】図１の使用状態を示す概略説明側面断面図
【図４】離出防止手段付きのポケットを示す概略説明背面図
【図５】本願発明の離出防止手段付きのポケットの他実施例を示す概略説明背面図
【図６】本願発明の離出防止手段付きのポケットの他実施例を示す概略説明背面図
【図７】本願発明の離出防止手段付きのポケットの他実施例を示す概略説明背面図
【図８】本願発明の離出防止手段付きのポケットの形成方法のフローチャート
【符号の説明】
【００４８】１−ポケット、２−ポケット本体、３−開口部、４−封止体、５−離出防止体
【図１】
2017125286.tif 000003
【図２】
2017125286.tif 000004
【図３】
2017125286.tif 000005
【図４】
2017125286.tif 000006
【図５】
2017125286.tif 000007
【図６】
2017125286.tif 000008
【図７】
2017125286.tif 000009
【図８】
2017125286.tif 000010
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
衣類に取り付けて収納部を形成し、上部側に開口部を有するポケット本体から構成された衣類のポケットにおいて、該ポケット本体の内側には、一端側をポケット本体の上部側に沿って取り付けられ、他端側をポケット本体の下端側に広がった状態で解放された離出防止手段としての離出防止体が設けられ、しかも該離出防止体の下端側に変形可能な広状の下部支持体を取り付け、且つ中央部分には巻き取り移動できる蛇腹部を設けていることを特徴とする離出防止手段付きの衣類のポケット。
【請求項２】
衣類に上端側を開口部としてポケット本体を取り付けることで収納部を形成する衣類のポケット形成方法において、前記ポケット本体に予め開口部を形成する上部側の内部に沿って一端側を取り付け、他端側をポケット本体の下端側に沿って変形可能に広がった状態となる下部支持体を取り付け、しかも中央部分に巻き取り移動できる蛇腹部を有する離出防止体を形成することを特徴とする離出防止手段付きの衣類のポケットの形成方法。
【手続補正２】
【補正対象書類名】明細書
【補正対象項目名】０００９
【補正方法】変更
【補正の内容】
【０００９】本願発明は上記課題を解決する手段としての離出防止手段付きの衣類のポケットは、請求項１に記載のように、衣類に取り付けて収納部を形成し、上部側に開口部を有するポケット本体から構成された衣類のポケットにおいて、該ポケット本体の内側には、一端側をポケット本体の上部側に沿って取り付けられ、他端側をポケット本体の下端側に広がった状態で解放された離出防止手段としての離出防止体が設けられ、しかも該離出防止体の下端側に変形可能な広状の下部支持体を取り付け、且つ中央部分には巻き取り移動できる蛇腹部を設けていることを特徴とする。
【手続補正３】
【補正対象書類名】明細書
【補正対象項目名】００１０
【補正方法】変更
【補正の内容】
【００１０】また、上記課題を解決する手段としての離出防止手段付きの衣類のポケットの形成方法は、請求項２に記載のように、衣類に上部側を開口部としてポケット本体を取り付けることで収納部を形成する衣類のポケットの形成方法において、前記ポケット本体に予め開口部を形成する上部側の内側に沿って一端側を取り付け、他端側をポケット本体の下端側に沿って広がった状態となる下部支持体を取り付け、しかも中央部分に巻き取り移動できる蛇腹部を有する離出防止体を形成することを特徴とする。
【手続補正４】
【補正対象書類名】明細書
【補正対象項目名】００１３
【補正方法】変更
【補正の内容】
【００１３】前記ポケット本体には、一端側を該ポケット本体の内側の上端側に沿って取り付けられ、他端側をポケット本体の下端側に沿って広がった状態で解放された離出防止手段としての離出防止体が設けられている。
【手続補正５】
【補正対象書類名】明細書
【補正対象項目名】００１４
【補正方法】変更
【補正の内容】
【００１４】上記離出防止体は下端側に変形可能な広状の下部支持体を取り付け、さらに中央部分に巻き取り移動できる蛇腹部が設けられているために、ポケット本体内に収納した収納物をポケット本体による収納部内でその移動を阻止する。
【手続補正６】
【補正対象書類名】明細書
【補正対象項目名】００１６
【補正方法】変更
【補正の内容】
【００１６】また、前記収納物をポケットより取り出す際は、離出防止体の下部支持体の変形可能、蛇腹部の巻き上げ移動で下方側より、容易に取り出しできる。
【手続補正７】
【補正対象書類名】明細書
【補正対象項目名】００１７
【補正方法】変更
【補正の内容】
【００１７】次に、本願発明の請求項２に記載の離出防止手段付きの衣類のポケットの形成方法は、予めポケット本体の開口部を形成する上部側の内側に沿って一端側を取り付け、他端側をポケット本体の下端側に沿って広がった状態の下部支持体と、中央部分に巻き上げ移動可能な蛇腹部の設けられた離出防止手段としての離出防止体を取り付ける。
【手続補正８】
【補正対象書類名】明細書
【補正対象項目名】００１９
【補正方法】変更
【補正の内容】
【００１９】これにより、収納部では、収納部の移動を離出防止体で阻止するとともに、傾斜した姿勢をとっても、離出防止体で収納部の離出を防止できる。